(57)【要約】【課題】ロール紙であってもカット紙であっても良好にセットできる画像形成装置を提供する。【解決手段】カム６０に、ピンチローラ２６を第１待機位置に位置させるための第１面６０ａ、第２待機位置に位置させるための第２面６０ｂ、及び、挟持位置に位置させるための第３面６０ｃを形成した。ロール紙１２０をセットする場合、カム６０の第１面６０ａをピンチローラアーム５０の上面に接触させて安定させ、この位置でリリースレバー６４を停止させておく。これにより、ピンチローラ２６が駆動ローラ２４からやや離れた第１待機位置に安定して位置する。続いて、本体後側（ロール紙１２０が配置されている側）からロール紙１２０の先端部１２０ａを駆動ローラ２４とピンチローラ２６の間に挿入してロール紙１２０の弛みを取り除く。【選択図】　　　図２
2004115173.tif 000002
【特許請求の範囲】
【請求項１】
所定の搬送方向に記録媒体を挟持しながら搬送する駆動ローラ及びピンチローラを備え、これら駆動ローラ及びピンチローラによって挟持されながら搬送された記録媒体に画像を形成する画像形成装置において、
前記ピンチローラは、
前記駆動ローラに当接して記録媒体を挟持する挟持位置、前記駆動ローラから所定距離だけ離れた第１待機位置、及びこの第１待機位置よりも前記駆動ローラから離れた第２待機位置のうちのいずれかの位置に選択的に位置するものであることを特徴とする画像形成装置。
【請求項２】
前記搬送方向に延びると共に該搬送方向の下流側部分に前記ピンチローラを回転自在に固定したピンチローラアームを備えたことを特徴とする請求項１に記載の画像形成装置。
【請求項３】
前記ピンチローラアームは、
その長手方向中央部を中心にして回動するものであり、
該ピンチローラアームのうち前記下流側部分とは反対側の上流側部分を押圧して該ピンチローラアームを回動させることにより、前記ピンチローラを前記第１待機位置及び前記第２待機位置双方に選択的に位置させるカムを備えたことを特徴とする請求項２に記載の画像形成装置。
【請求項４】
記録媒体がロール紙かカット紙かに基づいて、前記ピンチローラを前記第１待機位置及び前記第２待機位置のいずれかに選択的に位置させるように前記カムを制御する制御器を備えたことを特徴とする請求項３に記載の画像形成装置。
【発明の詳細な説明】
【０００１】
【発明の属する技術分野】
本発明は、駆動ローラとピンチローラによって記録媒体を挟持しながら搬送してこの記録媒体に画像を形成する画像形成装置に関する。
【０００２】
【従来の技術】
コンピュータやワークステーションの出力装置の一つとして、記録紙などの記録媒体にインクを吐出して画像を形成するインクジェット方式の画像形成装置が知られている。このインクジェット方式画像形成装置は、通常、インクが吐出する複数のノズルが形成された印字ヘッドと、この印字ヘッドを搭載して主走査方向に往復動するキャリッジと、この主走査方向に直交する方向（副走査方向であり記録媒体搬送方向）に記録媒体を搬送する記録媒体搬送装置とを備えている。
【０００３】
上記のようなインクジェット方式の画像形成装置で記録媒体に画像を形成する際は、記録媒体搬送装置で搬送中の記録媒体を一時的に停止させ、キャリッジを主走査方向に往復動させながら、画像情報を担持した画像信号に基づいて複数のノズルから選択的にインクを吐出し、記録媒体のうちノズルの出口（インク吐出口）に向き合う画像形成領域に位置する部分に１バンド分の画像を形成する。その後、記録媒体を１バンド分の幅だけ搬送して停止させ、再び、キャリッジを主走査方向に往復動させながら、画像信号に基づいてノズルからインクを吐出し、記録媒体のうち画像形成領域に新たに位置する部分に画像を形成する。このような動作を繰り返すことによって記録媒体に画像を形成する。
【０００４】
上記したインクジェット方式画像形成装置の一例を図６と図７を参照して説明する。
【０００５】
図６は、インクジェット方式画像形成装置の外観を示す斜視図である。図７は、図６のインクジェット方式画像形成装置の内部構成を示す側面図である。
【０００６】
インクジェット方式画像形成装置１００には、通常、記録媒体が載置されるプラテン１０２が備えられている。記録媒体のうちプラテン１０２に載置された部分にインクが吐出されて画像が形成される。プラテン１０２の下方には吸引ファン１０４が配置されており、プラテン１０２には多数の吸引孔１０２ａが形成されている。吸引ファン１０４が回転することにより吸引孔１０２ａから空気が吸引されるので、プラテン１０２に載置された記録媒体がこのプラテン１０２に吸着される。
【０００７】
プラテン１０２には、記録媒体を挟持しながら搬送する駆動ローラ１０６とピンチローラ１０８からなる一対の搬送ローラが配置されている。この一対の搬送ローラは、通常、駆動ローラ１０６がピンチローラ１０８の下に位置している。駆動ローラ１０６は、ギア（図示せず）等を介して駆動モータ（図示せず）に接続されており、この駆動モータが駆動することによって回転する。ピンチローラ１０８は、搬送方向（矢印Ａ方向）に延びるピンチローラアーム１１０の先端部に回転自在に固定されている。ピンチローラアーム１１０の後端部にはコイルばね１１２の一端部が固定されている。コイルばね１１２の他端部はインクジェット方式画像形成装置１１０の本体に固定されている。ピンチローラアーム１１０の長手方向中央部には、ピンチローラアーム１１０の回動軸１１４が形成されている。ピンチローラアーム１１０は回動軸１１４を中心にして矢印Ｂ方向及びその反対方向に回動する。また、ピンチローラアーム１１２のうちコイルばね１１２よりもやや内側の部分にはカム１１６が接触する。
【０００８】
ピンチローラアーム１１０はコイルばね１１２によって、矢印Ｂ方向とは反対方向に回動するように付勢されている。これにより、ピンチローラ１０８が駆動ローラ１０６に接触して、両ローラで記録媒体を挟持できる。一方、カム１１６がピンチローラアーム１１２に接触したときは、コイルばね１１２の付勢力に打ち勝ってピンチローラアーム１１０を矢印Ｂ方向に回動させる。これにより、ピンチローラ１０８が駆動ローラ１０６から離れる。
【０００９】
カム１１６はリリースレバ−１１８に連結されている。リリースレバ−１１８を手前に引くことによりカム１１６がピンチローラアーム１１０に接触してピンチローラ１０８が駆動ローラ１０６から離れるように構成されている。リリースレバ−１１８を奧に押すことによりカム１１６がピンチローラアーム１１０から離れるので、コイルばね１１２の付勢力によって駆動ローラ１０６とピンチローラ１０８が接触する。
【００１０】
記録媒体に画像を形成し始める際には、駆動ローラ１０６とピンチローラ１０８に記録媒体の先端部を挟持して（セットして）おき、操作パネル１１２で所定の操作を行う。記録媒体にはロール紙とカット紙の２種類があり、ロール紙とカット紙とでは、その先端部を駆動ローラ１０６とピンチローラ１０８に挟持させる方法が互いに異なる。ロール紙１２０とカット紙１２２をセットする方法について説明する。
【００１１】
先ず、ロール紙１２０をセットする方法を説明する。
【００１２】
リリースレバー１１８を手前に引いてピンチローラ１０８を駆動ローラ１０６から離す。続いて、図７に示すように、本体後側（ロール紙１２０が配置されている側）からロール紙１２０の先端部１２０ａを駆動ローラ１０６とピンチローラ１０８の間に挿入してロール紙１２０の弛みを取り除く。続いて、リリースレバー１１８を押して駆動ローラ１０６にピンチローラ１０８を接触させて両ローラでロール紙１２０の先端部１２０ａを挟持する。この挟持した状態で、印字ヘッド１２４が画像信号を受信することにより、キャリッジ１２６に搭載されている紙検知センサ（図示せず）が紙先端（ロール紙の先端）及び紙幅（ロール紙の幅）を認識してロール紙１２０に画像が形成され始める。
【００１３】
次に、カット紙１２２をセットする方法を説明する。
【００１４】
リリースレバー１１８を手前に引いてピンチローラ１０８を駆動ローラ１０６から離す。続いて、図７に示すように、本体前側（ロール紙１２０が配置されている側とは反対の側）からカット紙１２２の先端部１２２ａを駆動ローラ１０６とピンチローラ１０８の間に挿入し、さらに、この先端部１２２ａをプラテン１０２の合わせライン１０２ｂに合わせると共に、カット紙１２２の基準側端面（幅方向の一端面）もプラテン１０２の左右合わせライン１０２ｃに合わせる。このようにして合わせた状態で、リリースレバー１１８を押して駆動ローラ１０６にピンチローラ１０８を接触させて両ローラでカット紙１２２を挟持する。この挟持した状態で、印字ヘッド１２４が画像信号を受信することにより、キャリッジ１２６に搭載されている紙検知センサ（図示せず）が紙先端（カット紙の先端）及び紙幅（カット紙の幅）を認識してカット紙１２２に画像が形成され始める。
【００１５】
【発明が解決しようとする課題】
ところが、上記のようにしてロール紙１２０とカット紙１２２をセットする場合、ロール紙１２０をセットし易いときはカット紙１２２がセットしにくく、この逆に、カット紙１２２がセットし易いときはロール紙１２０をセットしにくい。この点について、図８と図９を参照して説明する。
【００１６】
図８は、駆動ローラからピンチローラまでの距離が短いときに記録媒体をセットする状態を示す説明図である。図９は、駆動ローラからピンチローラまでの距離が長いときに記録媒体をセットする状態を示す説明図である。
【００１７】
駆動ローラ１０６からピンチローラ１０８までの距離が短い場合、セットするカット紙１２２の先端部１２２ａが上向きカールしているときは、このカールした先端部１２２ａがピンチローラ１０８に当接して座屈する（紙折れする）ので、カット紙１２２を良好にセットできない。また、座屈に起因して良好な画像も得られない。
【００１８】
この逆に、駆動ローラ１０６からピンチローラ１０８までの距離が長い場合、セットするロール紙１２０の先端部１２０ａが下向きカールしているときは、このカールした先端部１２０ａが、駆動ローラ１０８とプラテン１０２との隙間１０３に入り込んだり、プラテン１０２の傾斜部１０２ｄに引っ掛かったりするので、ロール紙１２０を良好にセットできない。また、座屈に起因して良好な画像も得られない。また、ロール紙１２０の先端部１２０ａが座屈する（紙折れする）こともあるので、ロール紙１２０を良好にセットできない。また、座屈に起因して良好な画像も得られない。
【００１９】
本発明は、上記事情に鑑み、ロール紙であってもカット紙であっても良好にセットできる画像形成装置を提供することを目的とする。
【００２０】
【課題を解決するための手段】
上記目的を達成するための本発明の画像形成装置は、所定の搬送方向に記録媒体を挟持しながら搬送する駆動ローラ及びピンチローラを備え、これら駆動ローラ及びピンチローラによって挟持されながら搬送された記録媒体に画像を形成する画像形成装置において、
（１）前記ピンチローラは、前記駆動ローラに当接して記録媒体を挟持する挟持位置、前記駆動ローラから所定距離だけ離れた第１待機位置、及びこの第１待機位置よりも前記駆動ローラから離れた第２待機位置のうちのいずれかの位置に選択的に位置するものであることを特徴とするものである。
【００２１】
ここで、上記の画像形成装置は、
（２）前記搬送方向に延びると共に該搬送方向の下流側部分に前記ピンチローラを回転自在に固定したピンチローラアームを備えてもよい。
【００２２】
また、
（３）前記ピンチローラアームは、その長手方向中央部を中心にして回動するものであり、
（４）該ピンチローラアームのうち前記下流側部分とは反対側の上流側部分を押圧して該ピンチローラアームを回動させることにより、前記ピンチローラを前記第１待機位置及び前記第２待機位置双方に選択的に位置させるカムを備えてもよい。
【００２３】
さらに、
（５）記録媒体がロール紙かカット紙かに基づいて、前記ピンチローラを前記第１待機位置及び前記第２待機位置のいずれかに選択的に位置させるように前記カムを制御する制御器を備えてもよい。
【００２４】
【発明の実施の形態】
図面を参照して本発明の実施形態を説明する。
［第１実施形態］
【００２５】
図１から図３までを参照して、本発明の画像形成装置の第１実施形態であるインクジェット方式のプロッタを説明する。
【００２６】
図１は、インクジェット方式のプロッタの概略構成を示す斜視図である。図２は、ロール紙をセットしているプロッタを示す説明図である。図３は、カット紙をセットしているプロッタを示す説明図である。
【００２７】
プロッタ１０は、矢印Ａ方向に搬送される記録紙１２（ロール紙やカット紙）が載置されるプラテン１４を備えている。このプラテン１４の上方には、図２や図３に示すように、プラテン１４に対して平行に上ガイドレール１６と下ガイドレール１７が掛け渡されている。これらのガイドレール１６，１７には、モータ（図示せず）とベルト（図示せず）によって矢印Ｃ，Ｄ方向（矢印Ａ方向に直交する方向）に往復動する（走査する）キャリッジ２０がスライド軸受（図示せず）を介して取り付けられている。
【００２８】
キャリッジ２０には、インクを吐出するインク吐出口（ノズルの出口であり、図示せず）を有する印字ヘッド２２が搭載されている。インク吐出口の前方は、画像が形成される画像形成領域２３である。記録紙１２のうち画像形成領域２３に位置する部分にインク吐出口からインクが吐出され、これにより、この部分に画像が形成される。
【００２９】
ロール紙やカット紙などの記録紙１２に画像を形成するに当っては、プラテン１４に記録紙１２を載置して、プラテン１４に形成された開口部（図示せず）から外周面の一部を露出した駆動ローラ２４と、記録紙１２の両端部を上方から押えるピンチローラ２６とによって記録紙１２を挟持しながら、搬送モータ（図示せず）によって駆動ローラ２４を回転させて記録紙１２を搬送する。記録紙１２の上方でキャリッジ２０を矢印Ｃ，Ｄ方向に往復動させ、ヘッド制御部（図示せず）から印字ヘッド２２に送信された画像情報を担持する画像信号に基づいてノズルからインクを吐出して、記録紙１２のうち画像形成領域２３に位置する部分（１バンド分）に画像を形成する。その後、駆動ローラ２４とピンチローラ２６で記録媒体１２を１バンド分の幅だけ搬送して停止させ、再び、キャリッジ２０を主走査方向に往復動させながら、画像信号に基づいて印字ヘッド２２からインクを吐出し、記録媒体１２のうち画像形成領域２３に新たに位置する部分に画像を形成する。このような動作を繰り返すことによって記録媒体１２に画像を形成する。
【００３０】
なお、キャリッジ２０の位置の制御は、主走査方向の全域に配置されたリニアスケール３０をリニアセンサ３２で読み取ることにより行われる。リニアセンサ３２はキャリッジ２０にビスで固定されている。また、記録媒体１２をプラテン１４に密着させるための吸引ファン３４は、下筐体３６のうち主走査方向中央部に固定されている。この下筐体３６の主走査方向両端は側板によって塞がれている。また、キャリッジ２０の下部は下ガイドレール１７に嵌め込まれている。一方、キャリッジ２０の上部には、上ガイドレール１６を挟持する一対のコロ４２，４４が回転自在の固定されている。キャリッジ２０が主走査方向に走査するときには、一対のコロ４２，４４が上ガイドレール１６を挟持すると共に上ガイドレール１６と下ガイドレール１７がキャリッジ２０を主走査方向に案内する。キャリッジ２０には、コロ４２を回転自在に固定するコロ支持板４６が備えられている。コロ支持板４６の上端部にはコロ４２が回転自在に固定されている。
【００３１】
上記したピンチローラ２６は、駆動ローラ２４に当接して記録媒体を挟持する挟持位置、駆動ローラ２４から所定距離だけ離れた第１待機位置、及びこの第１待機位置よりも駆動ローラ２４から離れた第２待機位置のうちのいずれかの位置に選択的に位置するように構成されている。この構成について説明する。
【００３２】
ピンチローラ２６は駆動ローラ２４の真上に配置されている。また、ピンチローラ２６は、搬送方向（矢印Ａ方向）に延びるピンチローラアーム５０の搬送方向下流側部５０ａに回転自在に固定されている。ピンチローラアーム５０は、ピンチローラ２６が固定された部分から搬送方向上流側に延びており、その長手方向中央部分には回動軸５２が形成されている。この回動軸５２を中心にしてピンチローラアーム５０が所定角度だけ回動する。回動軸５２は、プロッタ１０の本体に形成された筐体５４に固定されている。
【００３３】
ピンチローラアーム５０のうち、ピンチローラ２６が固定されている部分とは反対側の部分５０ｂには、コイルばね５６の一端部が固定されている。このコイルばね５６の他端部は筐体５４に固定されている。このため、ピンチローラアーム５０は、回動軸５２を中心にして矢印Ｅ方向に回動するように、コイルばね５６によって付勢されている。
【００３４】
ピンチローラアーム５０のうち、コイルばね５６よりもやや内側の上面には、カム６０が接触する。このカム６０は、カム軸６２を中心にして回動する。カム軸６２はリリースレバー６４に連結されており、リリースレバー６４を矢印Ｆ方向に回動させることによりカム軸は矢印Ｇ方向に回動する。この逆に、リリースレバー６４を矢印Ｆ’方向に回動させることによりカム軸は矢印Ｇ’方向に回動する。
【００３５】
カム６０には、３つの平らな面が形成されている。これら３つの平らな面は、ピンチローラ２６を、上記した第１待機位置に位置させるための第１面６０ａ、上記した第２待機位置に位置させるための第２面６０ｂ、及び、上記した挟持位置に位置させるための第３面６０ｃから構成される。これら３つの面は、リリースレバー６４を矢印Ｆ，Ｆ’方向に回動させることにより選択的にピンチローラアーム５０の上面に接触するか若しくは対向する。この場合、第１面６０ａと第２面６０ｂは平らであるので、これらの面とピンチローラアーム５０は安定して接触する。
【００３６】
リリースレバー６４を矢印Ｆ’方向に回動させておくことにより、カム６０の第３面６０ｃがピンチローラアーム５０からやや離れた状態でこのピンチローラアーム５０の上面に対向するこの場合、ピンチローラアーム５０はコイルばね５６の付勢力によって回動軸５２を中心に回動し、この結果、ピンチローラ２６が駆動ローラ２４に接触して記録媒体を挟持できる状態となる。一方、リリースレバー６４を矢印Ｆ方向に回動させることにより、先ず、カム６０が矢印Ｅ方向に回動して第１面６０ａがピンチローラアーム５０の上面に接触して安定する。この結果、図２に示すように、ピンチローラ２６が駆動ローラ２４からやや離れた第１待機位置に位置する。リリースレバー６４を矢印Ｆ方向にさらに回動させることにより、カム６０が矢印Ｅ方向にさらに回動して第２面６０ｂがピンチローラアーム５０の上面に接触して安定する。この結果、図３に示すように、ピンチローラ２６が駆動ローラ２４から離れた第２待機位置に位置する。図２と図３に示すように、第２待機位置は、第１待機位置よりも駆動ローラ２４から離れている。
【００３７】
ロール紙１２０とカット紙１２２をセットする方法について説明する。
【００３８】
先ず、ロール紙１２０をセットする方法を説明する。
【００３９】
リリースレバー６４を矢印Ｆ方向に回動させて、カム６０の第１面６０ａをピンチローラアーム５０の上面に接触させて安定させ、この位置でリリースレバー６４を停止させておく。これにより、ピンチローラ２６が駆動ローラ２４からやや離れた第１待機位置に安定して位置する。続いて、本体後側（ロール紙１２０が配置されている側）からロール紙１２０の先端部１２０ａを駆動ローラ２４とピンチローラ２６の間に挿入してロール紙１２０の弛みを取り除く。続いて、リリースレバー６４を矢印Ｆ’方向に回動させてピンチローラ２６を駆動ローラ２４に接触させて両ローラでロール紙１２０の先端部１２０ａを挟持する。この挟持した状態で、印字ヘッド２２が画像信号を受信することにより、キャリッジ２０に搭載されている紙検知センサ（図示せず）が紙先端（ロール紙の先端）及び紙幅（ロール紙の幅）を認識してロール紙１２０に画像が形成され始める。
【００４０】
次に、カット紙１２２をセットする方法を説明する。
【００４１】
リリースレバー６４を矢印Ｆ方向に回動させて、カム６０の第２面６０ｂをピンチローラアーム５０の上面に接触させて安定させ、この位置でリリースレバー６４を停止させておく。これにより、ピンチローラ２６が駆動ローラ２４から離れた第２待機位置に安定して位置する。続いて、本体前側（ロール紙１２０が配置されている側とは反対の側）からカット紙１２２の先端部１２２ａを駆動ローラ２４とピンチローラ２６の間に挿入し、さらに、この先端部１２２ａをプラテン１４の合わせライン１４ｂに合わせると共に、カット紙１２２の基準側端面（幅方向の一端面）もプラテン１４の左右合わせライン１４ｃに合わせる。このようにして合わせた状態で、リリースレバー６４を矢印Ｆ’方向に回動させてピンチローラ２６を駆動ローラ２４に接触させて両ローラでカット紙１２２を挟持する。この挟持した状態で、印字ヘッド２２が画像信号を受信することにより、キャリッジ２０に搭載されている紙検知センサ（図示せず）が紙先端（ロール紙の先端）及び紙幅（ロール紙の幅）を認識してロール紙１２０に画像が形成され始める。
【００４２】
以上のように、記録媒体がロール紙１２０かカット紙１２２かに応じて、ピンチローラ２６を第１待機位置若しくは第２待機位置に適宜に選択して位置させておくことにより、いずれの記録媒体であってもこれを良好にセットできる。カット紙１２２のときは、ピンチローラ２６を第２待機位置に位置させておくことにより、ピンチローラ２６が駆動ローラ２４から遠くに離れるので、カット紙１２２の先端部を座屈（紙折れ）させずにこのカット紙１２２をセットできる。一方、ロール紙１２０のときは、ピンチローラ２６を第１待機位置に位置させておくことにより、ピンチローラ２６が駆動ローラ２４からやや離れるので、ロール紙１２０の先端部を座屈（紙折れ）させずにこのロール紙１２０をセットできる。［第２実施形態］
【００４３】
図４と図５を参照して、本発明の画像形成装置の第２実施形態であるインクジェット方式のプロッタを説明する。
【００４４】
図４は、第２実施形態のプロッタの概略構成を示す斜視図である。図５は、ロール紙をセットしているプロッタを示す説明図である。これらの図では、図１から図３までに示された構成要素と同一の構成要素には同一の符号が付されている。
【００４５】
プロッタ８０は、リリースレバー６４（図２等参照）を使用せずに、カム６０を回動させる制御器を備えた点に特徴がある。プロッタ８０では、搬送方向（矢印Ａ方向）下流側にロール紙１２０が配置されている。ロール紙１２０は、給紙ローラ対８２によって駆動ローラ２４まで搬送される。給紙ローラ対８２と駆動ローラ２４の間には、ロール紙１２０を案内するＵ字状のＵガイド８４が配置されている。このＵガイド８４は、外側の外Ｕガイド８４ａと内側の内Ｕガイド８４ｂから構成されており、外Ｕガイド８４ａと内Ｕガイド８４ｂの間をロール紙１２０が通過しながら案内される。外Ｕガイド８４ａの搬送方向下流側部分には、回動軸８６ａを中心にして自在に回動するフラッパ８６が取り付けられている。このフラッパ８６は、カット紙を印字し始めるときにカット紙がＵガイド８４に入り込むことを防止する。
【００４６】
プロッタ８０には、各種の操作を行うための操作部８８が配置されている。この操作部８８の用紙切替キー（図示せず）を押すことにより、プロッタ８０に内蔵された制御器（図示せず）がカム６０を回動させたりするので、ロール紙からカット紙に容易に切り替えられる。
【００４７】
カム６０の回動軸６２の長手方向一端部にはプーリー（図示せず）が固定されている。このプーリーは、ベルト（図示せず）を介してステッピングモータ（図示せず）に接続されている。このステッピングモータは、上記した制御器によって制御される。回動軸６２の長手方向他端部には、カム６０の位置を検出するフラグ（図示せず）が固定されている。カム６０が所定のホームポジションに位置しているときは、フォトインタラプタ（図示せず）によってフラグが検出されるように構成されている。
【００４８】
記録媒体をセットする方法を説明する。
【００４９】
駆動ローラ２４とピンチローラ２６にロール紙１２０が挟持されている状態からカット紙をセットする場合、ユーザは操作部８８の用紙切替キー（カット紙）を押す。これにより、上記した制御器によって給紙ローラ対８２とカム６０が制御されて、給紙ローラ対８２がロール紙１２０を挟持すると共に、上記のステッピングモータが所定角度回転してカム６０の第２面６０ｂがピンチローラアーム５０の上面に接触して安定する。この結果、図３に示すように、ピンチローラ２６が駆動ローラ２４から離れた第２待機位置に安定して位置する。続いて、給紙ローラ対８２が矢印Ｈ方向に回転してロール紙１２０の先端をＵガイド８４の内側に巻き戻して停止させる。
【００５０】
ユーザは、ダストカバー１１を開いて、図３に示すと同様に、カット紙をセットする。このセット後、操作部８８のセット完了キー（図示せず）を押すことにより、上記のステッピングモータが再び回転してピンチローラ２６と駆動ローラ２４でカット紙を挟持する。その後、ダストカバー１１を閉じる。この後に、印字ヘッド２２が画像信号を受信することにより、キャリッジ２０に搭載されている紙検知センサ（図示せず）が紙先端（カット紙の先端）及び紙幅（カット紙の幅）を認識して、カット紙に画像が形成され始める。
【００５１】
カット紙に画像を形成し終わった後にロール紙１２０に画像を形成する場合、ユーザは操作部８８の用紙切替キー（ロール紙）を押す。これにより、上記した制御器によって給紙ローラ対８２とカム６０が制御されて、給紙ローラ対８２がロール紙１２０を挟持すると共に、上記のステッピングモータが所定角度回転してカム６０の第１面６０ａがピンチローラアーム５０の上面に接触して安定する。この結果、図２に示すように、ピンチローラ２６が駆動ローラ２４から離れた第１待機位置に安定して位置する。続いて、給紙ローラ対８２が、矢印Ｈ方向とは反対の方向に回転してロール紙１２０の先端を駆動ローラ２４まで搬送する。この搬送が終了した後、上記のステッピングモータが再び回転してピンチローラ２６と駆動ローラ２４でロール紙１２０を挟持する。このとき、給紙ローラ対８２が互いに離れてロール紙１２０を解除する。この状態で、印字ヘッド２２が画像信号を受信することにより、キャリッジ２０に搭載されている紙検知センサ（図示せず）が紙先端（ロール紙の先端）及び紙幅（ロール紙の幅）を認識してロール紙１２０に画像が形成され始める。
【００５２】
以上のように、制御器がカム６０や給紙ローラ対８２を制御してカット紙若しくはロール紙を切り替えるので、カット紙であってもロール紙であっても良好にセットできて使い勝手の良いプロッタ８０が得られる。
【００５３】
【発明の効果】
以上説明したように本発明の画像形成装置によれば、記録媒体がロール紙かカット紙かに応じて、ピンチローラを第１待機位置若しくは第２待機位置に適宜に選択して位置させておくことにより、いずれの記録媒体であってもこれを良好にセットできる。例えば、記録媒体がカット紙のときは、ピンチローラを第２待機位置に位置させておくことにより、ピンチローラが駆動ローラから遠くに離れるので、カット紙の先端部を座屈（紙折れ）させずにこのカット紙をセットできる。一方、記録媒体がロール紙のときは、ピンチローラを第１待機位置に位置させておくことにより、ピンチローラが駆動ローラから離れるので、ロール紙の先端部を座屈（紙折れ）させずにこのロール紙をセットできる。
【００５４】
ここで、前記搬送方向に延びると共に該搬送方向の下流側部分に前記ピンチローラを回転自在に固定したピンチローラアームを備えた場合は、記録媒体がピンチローラアームによって搬送方向に案内されるので、記録媒体を円滑に搬送できる。
【００５５】
また、前記ピンチローラアームは、その長手方向中央部を中心にして回動するものであり、該ピンチローラアームのうち前記下流側部分とは反対側の上流側部分を押圧して該ピンチローラアームを回動させることにより、前記ピンチローラを前記第１待機位置及び前記第２待機位置双方に選択的に位置させるカムを備えた場合は、簡易な構成によって、ピンチローラを第１待機位置若しくは第２待機位置に位置させられる。
【００５６】
さらに、記録媒体がロール紙かカット紙かに基づいて、前記ピンチローラを前記第１待機位置及び前記第２待機位置のいずれかに選択的に位置させるように前記カムを制御する制御器を備えた場合は、制御器によってピンチローラが適宜の位置（第１待機位置若しくは第２待機位置）に位置させられるので、使い勝手の良い画像形成装置が得られる。
【図面の簡単な説明】
【図１】インクジェット方式のプロッタの概略構成を示す斜視図である。
【図２】ロール紙をセットしているプロッタを示す説明図である。
【図３】カット紙をセットしているプロッタを示す説明図である。
【図４】第２実施形態のプロッタの概略構成を示す斜視図である。
【図５】ロール紙をセットしているプロッタを示す説明図である。
【図６】インクジェット方式画像形成装置の外観を示す斜視図である。
【図７】図６のインクジェット方式画像形成装置の内部構成を示す側面図である。
【図８】駆動ローラからピンチローラまでの距離が短いときに記録媒体をセットする状態を示す説明図である。
【図９】駆動ローラからピンチローラまでの距離が長いときに記録媒体をセットする状態を示す説明図である。
【符号の説明】
１０，８０　プロッタ
２４　駆動ローラ
２６　ピンチローラ
５０　ピンチローラアーム
６０　カム
１２０　ロール紙
１２２　カット紙
【図１】
2004115173.tif 000003
【図２】
2004115173.tif 000004
【図３】
2004115173.tif 000005
【図４】
2004115173.tif 000006
【図５】
2004115173.tif 000007
【図６】
2004115173.tif 000008
【図７】
2004115173.tif 000009
【図８】
2004115173.tif 000010
【図９】
2004115173.tif 000011